(57)【特許請求の範囲】
【請求項１】
シートの骨格を成す枠形状のフレーム構造体の被取付部位にネット材等の面状弾性部材を張設して前記シートに着座した乗員の着座荷重を弾性的に支持するクッション構造を形成するシートの製造方法であって、
前記面状弾性部材を前記フレーム構造体の前記被取付部位に引張り込んで緊張させた状態にして固定する工程を有し、
該工程は、前記フレーム構造体の前記被取付部位を外周側から取り囲むことのできる形に形成された支持板の上端部間に前記面状弾性部材を架け渡し、該面状弾性部材の各端部をそれぞれ前記支持板の外側に向かって下方側に引張り込んで緊張させた状態にして固定部材により固定した状態にして、当該緊張状態の面状弾性部材の面上に前記フレーム構造体の前記被取付部位を上方側から当てがえて押し込んで固定することにより行われ、
前記面状弾性部材の面上に前記フレーム構造体の前記被取付部位を押し込んで固定するに際し、前記面状弾性部材の各端部を下方側に引張り込む前記固定部材の固定位置の調節と、前記面状弾性部材の下方側に引張り込んだ引張面を押動部材によって内側に押し窄ませる押し込み量の調節とにより、前記面状弾性部材の引張り込み量を着座乗員の支持部位箇所に応じて適宜調節するようにしたことを特徴とするシートの製造方法。
【請求項２】
請求項１に記載のシートの製造方法であって、
前記フレーム構造体の前記被取付部位が熱接着性樹脂を用いた熱接着により前記面状弾性部材の面上に押し込まれて固定されるようになっていることを特徴とするシートの製造方法。
【発明の詳細な説明】
【技術分野】
【０００１】
本発明は、シートの製造方法に関する。詳しくは、シートの骨格を成す枠形状のフレーム構造体に対してネット材等の面状弾性部材を張設することによりシートに着座した乗員の着座荷重を弾性的に支持するクッション構造を構成するシートの製造方法に関する。
【背景技術】
【０００２】
従来、車両用シートのクッション構造としては、例えば特許文献１に開示されている構成のものが知られている。この開示では、シートの骨格を成すフレーム構造体に対してネット材等の面状弾性部材が張設されており、この面状弾性部材によって、ウレタンパッド等のクッション部材を弾性的に面で支持するようにしている。これにより、例えばクッション部材をＳバネ等のワイヤ部材によって線や点で支持するようにした構成と比べて、乗員がシートに着座した際の着座感の向上や、シート構造全体の軽量化を図ることができる。すなわち、クッション部材が面で支持されているため、乗員の着座荷重によってクッション部材が圧縮変形しても、乗員がワイヤ部材等の局所的な突出物に干渉するなどして異物感を感じることがなくなるからである。また、これにより、クッション部材を薄肉化して使用することが可能となるため、かかる重量を軽減することができるからである。
ところで、上記のようにネット材等の面状弾性部材の張力によって乗員の着座荷重を支持する構成においては、例えば乗員の腰部等のように比較的高い支持力の必要とされる部位を、局所的に、その好適とされる支持力によって支持することは難しい。そこで、このような問題に対処するために、例えば特許文献２では、面状弾性部材たるネット材の比較的高い支持力の必要とされる部位を高密度に編み込んだ構成としている。これにより、同部位において、局所的に、所望の支持力を発揮させることができる。
【０００３】
【特許文献１】特開２００４−１３５８３６号公報
【特許文献２】特開２００４−３３５４２号公報
【発明の開示】
【発明が解決しようとする課題】
【０００４】
しかしながら、上記従来の技術、すなわちネット材を局所的に高密度に編み込んで支持力を高めるようにする技術では、シートタイプが異なる毎に編み込み密度を変化させたり、高密度に形成した部分をフレーム構造体に対する所望の位置に精度良く張設したりすることに手間のかかるものであった。
【０００５】
本発明は、上記した問題を解決するものとして創案されたものであって、本発明が解決しようとする課題は、ネット材等の面状弾性部材をフレーム構造体に張設した張力によって乗員の着座荷重を支持するクッション構造において、面状弾性部材により発揮される支持力を簡単に調整できるようにすることにある。
【課題を解決するための手段】
【０００６】
上記課題を解決するために、本発明のシートの製造方法は次の手段をとる。
先ず、第１の発明は、シートの骨格を成す枠形状のフレーム構造体の被取付部位にネット材等の面状弾性部材を張設して、シートに着座した乗員の着座荷重を弾性的に支持するクッション構造を形成するシートの製造方法であり、面状弾性部材をフレーム構造体の被取付部位に引張り込んで緊張させた状態にして固定する工程を有する。同工程は、フレーム構造体の被取付部位を外周側から取り囲むことのできる形に形成された支持板の上端部間に面状弾性部材を架け渡し、面状弾性部材の各端部をそれぞれ支持板の外側に向かって下方側に引張り込んで緊張させた状態にして固定部材により固定した状態にして、この緊張状態の面状弾性部材の面上にフレーム構造体の被取付部位を上方側から当てがえて押し込んで固定することにより行われる。面状弾性部材の面上にフレーム構造体の被取付部位を押し込んで固定するに際し、面状弾性部材の各端部を下方側に引張り込む固定部材の固定位置の調節と、面状弾性部材の下方側に引張り込んだ引張面を押動部材によって内側に押し窄ませる押し込み量の調節とにより、面状弾性部材の引張り込み量を着座乗員の支持部位箇所に応じて適宜調節するようにした。
【０００７】
この第１の発明によれば、フレーム構造体の被取付部位に張設される面状弾性部材の支持力は、支持板の上端部間に架け渡された面状弾性部材の各端部を支持板の外側に向かって下方側に引張り込む固定部材の固定位置と、面状弾性部材の下方側に引張り込んだ引張面を押動部材によって内側に押し窄ませる押し込み量との調節により、着座乗員の支持部位箇所に応じた大きさに適宜変えられる。また、上記のように引張面が押動部材によって内側に押し窄まされる構成となっていることにより、フレーム構造体に被取付部位の外周縁から面状弾性部材への押し込み方向に向かって張り出す張出部位が形成されていても、張出部位を支持板の外側に張り出す引張面と干渉させないように、フレーム構造体の被取付部位を面状弾性部材の面上に押し込んで固定することができる。
【０００８】
次に、第２の発明は、上述した第１の発明において、フレーム構造体の被取付部位が、熱接着性樹脂を用いた熱接着により、面状弾性部材の面上に押し込まれて固定されるようになっている。
【０００９】
この第２の発明によれば、フレーム構造体の被取付部位は、熱接着性樹脂を用いた熱接着により、予め引張り込まれて所定の緊張状態とされた面状弾性部材に対して、押し込みにより固定される。
【発明の効果】
【００１０】
本発明は上述した手段をとることにより、次の効果を得ることができる。
先ず、第１の発明によれば、面状弾性部材の支持力を、面状弾性部材を予め下方側に引張り込んだ状態にして固定する固定位置と、下方側に引張り込んだ引張面を内側に押し窄ませる押し込み量との調節によって、着座乗員の支持部位箇所に応じた支持力を発揮させられるように適宜変えられるようにしたことにより、面状弾性部材の支持力を簡便に調節することができる。
更に、第２の発明によれば、熱接着性樹脂を用いた熱接着により、面状弾性部材を、予め引張り込んで所定の緊張状態とした状態でフレーム構造体の被取付部位に簡便に張設することができる。
【発明を実施するための最良の形態】
【００１１】
以下に、本発明を実施するための最良の形態の実施例について、図面を用いて説明する。
【実施例１】
【００１２】
始めに、実施例１のシート１について、図１〜図７を用いて説明する。図１はシート１の概略構成を表した斜視図、図２は図１のＹ−Ｙ線断面図、図３はネット材４０Ａが比較的弱い緊張状態とされて保持された状態を表した正面図、図４は図３のネット材４０Ａにバックフレーム２０を押し当てた状態を表した正面図、図５はネット材４０Ａが比較的強い緊張状態とされて保持された状態を表した正面図、図６は図５のネット材４０Ａにバックフレーム２０を押し当てた状態を表した正面図、図７はシート１にパッドＰａ，Ｐｂが組み付けられた状態を表した斜視図である。なお、図１では、シート１の表皮部材となるカバーやクッション部材となるパッドＰａ，Ｐｂ（図７参照）等の構成が省略された状態で表されている。
【００１３】
本実施例のシート１は、図１に良く示されるように、着座した乗員の背もたれ部となるシートバック２と、着座部となるシートクッション３と、を有する。このシート１は、シートバック２の骨格を成す枠形状のバックフレーム２０やシートクッション３の骨格を成す枠形状のクッションフレーム３０に対してネット材４０Ａ，４０Ｂがそれぞれ張設されている。そして、図７に良く示されるように、これらネット材４０Ａ，４０Ｂの表側面４２ａ，４２ｂには、クッション部材としてのパッドＰａ，Ｐｂ（ウレタンパッド）がそれぞれ組み付けられている。したがって、これらパッドＰａ，Ｐｂは、ネット材４０Ａ，４０Ｂの張力作用によって、バックフレーム２０やクッションフレーム３０（図１参照）に対して弾性的に支持される。すなわち、これらパッドＰａ，Ｐｂやネット材４０Ａ，４０Ｂによる支持構造によって、シート１に着座した乗員の着座荷重を弾性的に支持可能なクッション構造が構成されている。
ここで、図１に良く示されるように、バックフレーム２０やクッションフレーム３０が本発明のフレーム構造体に相当し、表側面４２ａ，４２ｂが本発明の一方側の面に相当する。
【００１４】
上記ネット材４０Ａ，４０Ｂは、全体が略均一な編込み密度によって形成された網目構造を有するが、バックフレーム２０やクッションフレーム３０に張設されることによって発揮される張力が、乗員の着座荷重を支持する支持部位箇所に応じて異なる構成となっている。具体的には、図２に良く示されるように、例えばバックフレーム２０に張設されるネット材４０Ａは、乗員の腰部を支持する下方側寄りの部位、すなわち比較的高い支持力の必要とされる部位Ｓは、張力が高められた状態で張設されている。また、その他の部位Ｗは、上記比較的高い支持力の必要とされる部位Ｓと比べると、張力が低められた状態で張設されている。なお、図１に示されるクッションフレーム３０に張設されるネット材４０Ｂは、図示は省略されているが、乗員の大腿部を支持する前方側寄りの部位、すなわち比較的高い支持力の必要とされる部位は、張力が高められた状態で張設されている。また、その他の部位は、上記比較的高い支持力の必要とされる部位と比べると、張力が低められた状態で張設されている。
より具体的に説明すると、ネット材４０Ａ，４０Ｂは、シート１の車幅方向ＷＤに引張り込まれた緊張状態で張設されており、この車幅方向ＷＤに引張り込まれる際の引張力の高低が上記乗員の着座荷重を支持する支持部位箇所に応じて調整されている。すなわち、ネット材４０Ａ，４０Ｂの張設状態によって、乗員の着座荷重を支持する支持部位箇所に適した支持弾性が発揮されるようになっている。これにより、シート１全体の着座感の向上が図られている。
【００１５】
詳しくは、ネット材４０Ａは、以下の方法によってバックフレーム２０に張設されている。
すなわち、図１に良く示されるように、ネット材４０Ａのバックフレーム２０への張設は、バックフレーム２０の枠形状に沿って形成された被取付部位２１に対し、同じく枠形状に沿って形作られたネット材４０Ａの取付部位４１を張り合わせた状態で固定することによって行われている。このネット材４０Ａとバックフレーム２０との固定は、図２に良く示されるように、バックフレーム２０の被取付部位２１に塗布された熱接着性樹脂５０による接着によって行われている。この熱接着性樹脂５０による接着は、熱接着性樹脂５０を塗布したバックフレーム２０を予め加熱した状態でネット材４０Ａと張り合わせることによって行ってもよいし、ネット材４０Ａと張り合わせた状態で熱接着性樹脂５０を塗布したバックフレーム２０を加熱して行ってもよい。また、ネット材４０Ａの取付部位４１の枠形状は、図３に良く示されるように、ネット材４０Ａを車幅方向ＷＤに引張り込んだ緊張状態として保持することのできるネット保持治具６０によって形作られている。
【００１６】
ここで、ネット保持治具６０は、図３に良く示されるように、バックフレーム２０の枠形状に沿って形成された被取付部位２１の外周縁を取り囲む形状として形成された支持板６１と、この支持板６１に覆い架け渡されたネット材４０Ａの端部４４ａ，４４ｂを支持板６１の外側の根元側部に向けて斜め方向にそれぞれ引張り込んだ状態として保持する固定部材６２ａ，６２ｂと、支持板６１及び固定部材６２ａ，６２ｂを固定支持する固定台６３と、を有する。
先ず、支持板６１は、上記バックフレーム２０の被取付部位２１の外周縁を取り囲む形状として連続的に形成されているが、図３ではバックフレーム２０のサイドフレーム２２ａ，２２ｂに形成された被取付部位２１の外周縁を取り囲む形状として、図３で見て左右の支持板６１ａ，６１ｂが車幅方向ＷＤに離間配置された状態として表されている。この支持板６１ａ，６１ｂは、同図で示す紙面内上方向に向けて立設されている。そして、支持板６１ａ，６１ｂの上面間にネット材４０Ａの表側面４２ａ（同図で示す下側の面）が覆い架け渡されることにより、この支持板６１ａ，６１ｂの上面形状に沿った内周縁部位に、同じ枠形状の取付部位４１を形作る。
次いで、固定部材６２ａ，６２ｂは、支持板６１ａ，６１ｂの外側の根元側部に配設されており、支持板６１ａ，６１ｂに対する相対的離間位置を調整移動可能な状態として固定台６３に取付けられている。
【００１７】
したがって、図３及び図５に良く示されるように、固定部材６２ａ，６２ｂの取付位置を変化させることにより、支持板６１ａ，６１ｂに覆い架け渡されたネット材４０Ａの端部４４ａ，４４ｂを引張り込む引張り込み長さを異ならせるべく調整することができる。詳しくは、図３では、固定部材６２ａ，６２ｂが支持板６１ａ，６１ｂに接近した位置に取付けられた状態として表されており、図５では、支持板６１ａ，６１ｂから離間した位置に取付けられた状態として表されている。
そして、例えば、前述したその他の部位Ｗ（図２参照）の張設状態に対応させてネット材４０Ａの取付部位４１の枠形状を形作る場合には、以下のようにして行われる。すなわち、先ず、図３の仮想線で示されるように、固定部材６２ａ，６２ｂが支持板６１ａ，６１ｂに接近した位置に取付けられた状態で、ネット材４０Ａの端部４４ａ，４４ｂを固定部材６２ａ，６２ｂの取付位置まで引張り込んだ仮引張状態として保持する。次いで、同図の実線で示されるように、支持板６１ａ，６１ｂの根元側部に向けて斜め方向に仮引張りされた引張斜面４５ａ，４５ｂを、支持板６１ａ，６１ｂの両外側から支持板６１ａ，６１ｂの外側面Ｏａ，Ｏｂに向けて押動されるネット張力調整治具９０Ａ，９０Ｂによって、支持板６１ａ，６１ｂの外側面Ｏａ，Ｏｂに向けて押し込む。これにより、ネット材４０Ａは、ネット張力調整治具９０Ａ，９０Ｂが押し込まれる押し込み長さによって、車幅方向ＷＤに引張り込まれる引張り込み長さが調整される。この引張り込み長さの調整された状態では、ネット材４０Ａは、ネット張力調整治具９０Ａ，９０Ｂによって上記引張り込み長さに対応する引張力が付与された緊張状態として保持される。そして、これにより、ネット材４０Ａの取付部位４１は、支持板６１ａ，６１ｂの上面形状に沿った枠形状として形作られる。ここで、ネット張力調整治具９０Ａ，９０Ｂが本発明の押動部材に相当する。
また、比較的高い支持力の必要とされる部位Ｓ（図２参照）の張設状態に対応させてネット材４０Ａの取付部位４１の枠形状を形作る場合には、以下のようにして行われる。すなわち、先ず、図５の仮想線で示されるように、固定部材６２ａ，６２ｂが支持板６１ａ，６１ｂから離間した位置に取付けられた状態で、ネット材４０Ａの端部４４ａ，４４ｂを固定部材６２ａ，６２ｂの取付位置まで引張り込んだ仮引張状態として保持する。次いで、同図の実線で示されるように、斜め方向に仮引張りされた引張斜面４５ａ，４５ｂを、ネット張力調整治具９０Ａ，９０Ｂによって、支持板６１ａ，６１ｂの外側面Ｏａ，Ｏｂに向けて押し込む。このとき、ネット材４０Ａの引張斜面４５ａ，４５ｂがネット張力調整治具９０Ａ，９０Ｂによって押し込まれる押し込み長さは、上述したその他の部位Ｗ（図２参照）を形成する際の押し込み長さと比べると長くなる。したがって、ネット材４０Ａは、上述したその他の部位Ｗの形成時と比べると、車幅方向ＷＤに長く引張り込まれた緊張状態として、高い引張力が付与された状態で保持される。
【００１８】
そして、図４及び図６に良く示されるように、上記支持部位箇所に適した引張り込み状態として形作られたネット材４０Ａは、その裏側面４３ａ（同図で示す上側の面）の面上に形成された枠形状の取付部位４１に、バックフレーム２０の対応する被取付部位２１が押し当てられる。このバックフレーム２０をネット材４０Ａの裏側面４３ａに押し当てる作業は、バックフレーム２０の背裏側に当て交われる押込具７０の押し込み操作によって行われる。ここで、裏側面４３ａが本発明の他方側の面に相当する。
具体的には、押込具７０の押し込み操作は、図３に良く示されるように、ネット保持治具６０と一体に設けられた押込治具８０Ａ，８０Ｂにセットされて行われる。この押込治具８０Ａ，８０Ｂは、押し込み操作用のレバー８１ａ，８１ｂと、このレバー８１ａ，８１ｂの操作に連動して押込具７０を同図で示す下方に向けて押動する押動部８２ａ，８２ｂと、を有する。また、押込具７０は、バックフレーム２０の背裏側に当て交われることにより、被取付部位２１の背裏側に当接する脚部７１ａ，７１ｂを一体に有する。したがって、図４及び図６に良く示されるように、押込治具８０Ａ，８０Ｂのレバー８１ａ，８１ｂの操作を行うことにより、押込具７０をバックフレーム２０の背裏側に当て交って、緊張状態とされたネット材４０Ａの取付部位４１に、バックフレーム２０の対応する被取付部位２１を位置合わせした状態で押し当てることができる。そして、バックフレーム２０の被取付部位２１に塗布された熱接着性樹脂５０（図２参照）によって、当接状態のネット材４０Ａの取付部位４１とバックフレーム２０の対応する被取付部位２１とを接着させて固定することができる。なお、ネット材４０Ａを緊張させた状態として保持するための引張斜面４５ａ，４５ｂ等の代部分（図３及び図５参照）は、上記接着処理された後に、裁断されて切り落とされる。
【００１９】
ここで、図１に良く示されるように、バックフレーム２０のサイドフレーム２２ａ，２２ｂは、車両前方に向けて張り出す形状に形成されている。このサイドフレーム２２ａ，２２ｂの張出部位２３ａ，２３ｂ間の寸法は、図３及び図５に良く示されるように、支持板６１ａ，６１ｂの離間寸法よりもひと回り大きくなっている。したがって、図４及び図６に良く示されるように、バックフレーム２０がネット材４０Ａに向けて押込まれる際には、張出部位２３ａ，２３ｂが支持板６１ａ，６１ｂの外側位置に向けて張り出す位置に配置される。しかしながら、図３及び図５で示したように、この張出部位２３ａ，２３ｂが支持板６１ａ，６１ｂの外側位置に押込まれる状態時には、斜め方向に仮引張りされていた張出面たる引張斜面４５ａ，４５ｂが支持板６１ａ，６１ｂの外側面Ｏａ，Ｏｂに向けて押し込まれた窄み込み状態とされている。したがって、張出部位２３ａ，２３ｂと引張斜面４５ａ，４５ｂとの干渉を回避することができ、バックフレーム２０の押し当て作業を好適に行うことができる。
また、支持板６１ａ，６１ｂは、前述したように、バックフレーム２０の枠形状に沿って形成された被取付部位２１の外周縁を取り囲む形状として形成されている。したがって、図４及び図６に良く示されるように、被取付部位２１を、支持板６１ａ，６１ｂ間に押し込みながら、ネット材４０Ａに形成された対応する取付部位４１に押し当てることができる。
なお、図１に示されるネット材４０Ｂをクッションフレーム３０に張設する場合については、上述した方法と同様にして行うことができるため、詳細な説明を省略する。
【００２０】
続いて、本実施例の使用方法について説明する。
すなわち、バックフレーム２０にネット材４０Ａを張設する場合には、先ず、図３及び図５に良く示されるように、ネット保持治具６０によって、ネット材４０Ａを、乗員の着座荷重を支持する支持部位箇所に応じて引張り込み長さを調整した緊張状態として保持する（引張保持工程）。次いで、図４及び図６に良く示されるように、上記引張保持されて緊張状態とされたネット材４０Ａの取付部位４１上に、バックフレーム２０に形成された対応する被取付部位２１を位置合わせして押し当てる（押当工程）。そして、この被取付部位２１に塗布された熱接着性樹脂５０（図２参照）によって、ネット材４０Ａの取付部位４１とバックフレーム２０の対応する被取付部位２１とを接着させて固定する。なお、図１に示されるクッションフレーム３０にネット材４０Ａを張設する場合には、上述した方法と同様にして行うことができる。
これにより、図１に良く示されるように、乗員の着座荷重を支持する支持部位箇所に適した支持弾性が発揮されるように、バックフレーム２０やクッションフレーム３０にネット材４０Ａ，４０Ｂをそれぞれ張設することができる。
【００２１】
このように、本実施例のシート１の製造方法によれば、ネット材４０Ａ，４０Ｂをバックフレーム２０やクッションフレーム３０に張設した張力によって乗員の着座荷重を支持するクッション構造において、ネット材４０Ａ，４０Ｂにより発揮される支持力を局所的に高めたり低めたりする調整を簡単で、かつ、精度良く行うことができる。すなわち、所望の緊張状態に形作られたネット材４０Ａ，４０Ｂに対してバックフレーム２０やクッションフレーム３０を押し当てて固定する方法であるため、例えばネット材４０Ａ，４０Ｂをバックフレーム２０やクッションフレーム３０に押し当てながら引張り込み長さを調整するような方法と比べると、高い位置決め精度で張設することができる。更に、本実施例のようにバックフレーム２０に支持板６１ａ，６１ｂの外側位置に向けて張り出す形状の張出部位２３ａ，２３ｂが形成された構成の場合でも、ネット材４０Ａをバックフレーム２０に好適に張設することができる。
【００２２】
以上、本発明の実施形態を１つの実施例により説明したが、本発明は上記実施例のほか各種の形態で実施ができるものである。
例えば、バックフレームやクッションフレームに張設されたネット材にパッドを組み付けることなく、ネット材のみによって乗員の着座荷重を支持するクッション構造として構成してもよい。
また、バックフレームやクッションフレームに張設されるネット材に代替して、例えば弾性を備えた布材や、いわゆる３次元の編み込み構造を有するネット材等、種々の面状弾性部材が適用可能である。
また、ネット材をシートの車幅方向に引張り込んで張設したものを示したが、使用目的に合わせてシートの高さ方向等、他の方向に引張り込んだ状態として張設してもよい。
また、ネット材に形成された取付部位や、バックフレームやクッションフレームに形成された被取付部位は、枠形状に沿って連続的に形成されているもの或いは断続的に形成されているもののどちらであっても構わない。
【図面の簡単な説明】
【００２３】
【図１】シートの概略構成を表した斜視図である。
【図２】図１のＹ−Ｙ線断面図である。
【図３】ネット材が比較的弱い緊張状態とされて保持された状態を表した正面図である。
【図４】図３のネット材にバックフレームを押し当てた状態を表した正面図である。
【図５】ネット材が比較的強い緊張状態とされて保持された状態を表した正面図である。
【図６】図５のネット材にバックフレームを押し当てた状態を表した正面図である。
【図７】シートにパッドが組み付けられた状態を表した斜視図である。
【符号の説明】
【００２４】
１    シート
２    シートバック
３    シートクッション
２０  バックフレーム（フレーム構造体）
２１  被取付部位
２２ａ，２２ｂ  サイドフレーム
２３ａ，２３ｂ  張出部位
３０  クッションフレーム（フレーム構造体）
４０Ａ，４０Ｂ  ネット材
４１  取付部位
４２ａ，４２ｂ  表側面（一方側の面）
４３ａ  裏側面（他方側の面）
４４ａ，４４ｂ  端部
４５ａ，４５ｂ  引張斜面
５０  熱接着性樹脂
６０  ネット保持治具
６１  支持板
６１ａ，６１ｂ  支持板
６２ａ，６２ｂ  固定部材
６３  固定台
７０  押込具
７１ａ，７１ｂ  脚部
８０Ａ，８０Ｂ  押込治具
８１ａ，８１ｂ  レバー
８２ａ，８２ｂ  押動部
９０Ａ，９０Ｂ  ネット張力調整治具（押動部材）
Ｓ    比較的高い支持力の必要とされる部位
Ｗ    その他の部位
Ｏａ，Ｏｂ  外側面
Ｐａ，Ｐｂ  パッド
ＷＤ  車幅方向
【図１】
0004593450.tif 000002
【図２】
0004593450.tif 000003
【図３】
0004593450.tif 000004
【図４】
0004593450.tif 000005
【図５】
0004593450.tif 000006
【図６】
0004593450.tif 000007
【図７】
0004593450.tif 000008